(57)【要約】【解決手段】  金属銀、銀イオン及び銀化合物の群から選ばれる銀成分を含有する抗菌防カビ消臭用溶液を２〜５μｍの噴霧粒子の大きさとして噴霧することを特徴とする抗菌・防カビ・消臭剤の噴霧方法。【効果】  本発明の抗菌・防カビ・消臭剤の噴霧方法及び噴霧装置によれば、抗菌消臭効果及び防カビ効果の即効性に優れたものである。【選択図】  図１
2005272307.tif 000002
【特許請求の範囲】
【請求項１】
金属銀、銀イオン及び銀化合物の群から選ばれる銀成分を含有する抗菌防カビ消臭用溶液を２〜５μｍの噴霧粒子の大きさとして噴霧することを特徴とする抗菌・防カビ・消臭剤の噴霧方法。
【請求項２】
上記抗菌防カビ消臭用溶液中に植物抽出物を含有した請求項１記載の抗菌・防カビ・消臭剤の噴霧方法。
【請求項３】
上記金属銀が、１粒子当たりの平均粒子径が１０nｍ以下の単体又はセラミックス表面に金属銀を担持した複合体である請求項１又は２記載の抗菌・防カビ・消臭剤の噴霧方法。
【請求項４】
精製水を収容する第１容器と、該精製水を気化させるための気化手段と、第１容器及び気化手段に連通する第１ノズルと、銀成分を含有する抗菌防カビ消臭用溶液を収容する第２容器と、該第２容器に連通する第２ノズルとを備え、第１ノズルの噴口から噴射される水蒸気流と、第２ノズルの噴口から噴射される抗菌防カビ消臭用溶液とを接触させることにより、該抗菌防カビ消臭用溶液を２〜５μｍの噴霧粒子の大きさとして噴霧することを特徴とする抗菌・防カビ・消臭剤の噴霧装置。
【請求項５】
上記抗菌防カビ消臭用溶液に精製水を９０質量％以上含有する請求項４記載の抗菌・防カビ・消臭剤の噴霧装置。
【請求項６】
自動車内に用いられる請求項４記載の抗菌・防カビ・消臭剤の噴霧装置。
【発明の詳細な説明】
【技術分野】
【０００１】
本発明は、自動車、電車等の車内、部屋、病院内などの一定空間内で使用される抗菌防カビ消臭用溶液を噴霧する方法及び噴霧装置に関し、更に詳述すると、抗菌・防カビ・消臭剤が迅速に拡散して対象空間部の隅々にまで行き亘り、除菌消臭効果や防カビ効果を向上させることができる抗菌・防カビ・消臭剤の噴霧方法及びその噴霧装置に関するものである。
【背景技術】
【０００２】
近年では、アンモニア、メチルメルカプタン、硫化水素、アセトアルデヒド、トリメチルアミン、ｎ−酪酸等の臭気物質の発生量が増加しており、特に、自動車、電車等の車内、病院内に絶えず浮遊する臭気物質やインフルエンザウィルスに対して各種の抗菌消臭剤を対象空間内に拡散して抗菌消臭対策が講じられている。
【０００３】
消臭抗菌剤を拡散させる手段としては、各種の抗菌消臭液をスプレーやエアーゾール等により噴射させる方法がある。
【０００４】
しかしながら、これらの手段は、空間中に拡散される粒子径が１０μｍから数百μｍ程度の大きいものであり、微粒子１個あたりの重量が比較的重いものであるため、空気中に滞留する時間に制限がある。このため、一定空間内に抗菌消臭用溶液を多量に噴射したとしても、該空間の隅々に亘り抗菌消臭効果が得られないという不都合がある。
【０００５】
また、例えば、特開平１０−６７５１６号公報に記載されているように、酸化チタンからなる光触媒を利用して、抗菌剤、含窒素化合物等の有害ガスを分解作用するために酸化チタン系材料を抗菌・消臭用材料として用いられることも知られているが、酸化チタン光触媒を活用するためには、紫外線等の光線の照射が必要であり、使用が制限されるという不都合がある。
【０００６】
【特許文献１】特開平１０−６７５１６号公報
【発明の開示】
【発明が解決しようとする課題】
【０００７】
本発明は、上記事情に鑑みなされたもので、銀成分を含有する抗菌防カビ消臭用溶液を超微粒子の状態で噴霧することにより、該超微粒子が対象空間部内へ迅速に拡散し、対象空間部の隅々にまで行き亘り、抗菌消臭効果や防カビ効果を向上させることができる抗菌・防カビ・消臭剤の噴霧方法及びその噴霧装置を提供することを目的とする。
【課題を解決するための手段】
【０００８】
本発明者は、上記目的を達成するため鋭意検討を行った結果、銀成分を含有する抗菌消臭用溶液を加熱気化式二流噴霧方式により水蒸気流中に抗菌防カビ消臭用溶液を霧化して、噴霧粒子２〜５μｍにて噴霧したところ該噴霧粒子が対象部屋内の隅々まで迅速に拡散することができ、抗菌消臭効果や防カビ効果が飛躍的に向上し得ることを見い出し、本発明をなすに至ったものである。
【０００９】
従って、本発明は、下記の抗菌・防カビ・消臭剤の噴霧方法及び噴霧装置を提供する。
（１）金属銀、銀イオン及び銀化合物の群から選ばれる銀成分を含有する抗菌防カビ消臭用溶液を２〜５μｍの噴霧粒子の大きさとして噴霧することを特徴とする抗菌・防カビ・消臭剤の噴霧方法。
（２）上記抗菌防カビ消臭用溶液中に植物抽出物を含有した（１）記載の抗菌・防カビ・消臭剤の噴霧方法。
（３）上記金属銀が、１粒子当たりの平均粒子径が１０nｍ以下の単体又はセラミックス表面に金属銀を担持した複合体である（１）又は（２）記載の抗菌・防カビ・消臭剤の噴霧方法。
（４）精製水を収容する第１容器と、該精製水を気化させるための気化手段と、第１容器及び気化手段に連通する第１ノズルと、銀成分を含有する抗菌防カビ消臭用溶液を収容する第２容器と、該第２容器に連通する第２ノズルとを備え、第１ノズルの噴口から噴射される水蒸気流と、第２ノズルの噴口から噴射される抗菌防カビ消臭用溶液とを接触させることにより、該抗菌防カビ消臭用溶液を２〜５μｍの噴霧粒子の大きさとして噴霧することを特徴とする抗菌・防カビ・消臭剤の噴霧装置。
（５）上記抗菌防カビ消臭用溶液に精製水を９０質量％以上含有する（４）記載の抗菌・防カビ・消臭剤の噴霧装置。
（６）自動車内に用いられる（４）記載の抗菌・防カビ・消臭剤の噴霧装置。
【発明の効果】
【００１０】
本発明の抗菌・防カビ・消臭剤の噴霧方法及び噴霧装置によれば、抗菌消臭効果及び防カビ効果の即効性に優れたものである。
【発明を実施するための最良の形態及び実施例】
【００１１】
以下、本発明について更に詳しく説明する。本発明の噴霧方法においては、金属銀、銀イオン及び銀化合物の群から選ばれる銀成分を含有する抗菌・防カビ・消臭用溶液を２〜５μｍの噴霧粒子の大きさとして噴霧することを特徴とするものである。
【００１２】
金属銀としては、１粒子当たりの平均粒子径が１０nｍ以下の単体又はセラミックス表面に担持した複合体であることが好ましい。
【００１３】
銀イオンは、特に、抗菌性を付与することができ、例えば、硝酸銀等が挙げられる。また、銀イオンには各種の添加剤を配合することができ、特に、安定剤として、フイチン酸等を添加することが好適である。
【００１４】
抗菌消臭用溶液中には消臭性を付与する目的で各種植物抽出物を配合することが好ましい。各種植物抽出物としては、ヒイラギモクセイ、キリ、ツワブキ、シナレンギョウ、ライラック、フキ、カキノキ、コナラ、ヤマナラシ、シダ、コバノトナリコの葉、クロマツの葉等が例示される。
【００１５】
また、光触媒効果を奏する点から、銀成分を含有する抗菌・防カビ・消臭用溶液として、銀イオンと酸化チタンとを配合したもの、酸化チタン微粒子の表面に単数又は複数個の銀単体を担持させた複合体を採用することができる。例えば、ナノメートルサイズの金属銀粒子を酸化チタン粒子の表面上に分散担持することにより金属銀の抗菌性・防カビ性を効果的に発揮させることができる。
【００１６】
本発明では、抗菌・防カビ・消臭用溶液を噴霧させる噴霧粒子の大きさとしては、平均粒子径が２〜５μｍ、好ましくは３〜４μｍである。噴霧粒子が２〜５μｍであるためブラウン運動が生じ易くなり、対象室内に迅速に拡散することができ、対象室内の隅々まで抗菌防カビ消臭剤が有効に行き亘り、抗菌消臭効果又は防カビ効果を高めることができる。噴霧粒子が上記範囲を超えると微粒子の自重が比較的重いものとなり、噴射後の空気中に浮遊する滞留時間が短くなり、微粒子による拡散効果が迅速に行えなくなり、抗菌消臭効果又は防カビ効果の向上が得られなくなる。
【００１７】
抗菌・防カビ・消臭用溶液を２〜５μｍの粒子径にて噴霧する手段としては、特に制限はないが、例えば、図１示された噴霧装置１を用いることが好適である。
【００１８】
図１に示された装置１は、所謂、加熱気化式二流式の噴霧方式を採用するものであり、第１容器２と、気化手段３と、第１容器及び気化手段に連通する第１ノズル４と、第２容器５と、該第２容器に連通する第２ノズル６とを具備したものである。第１ノズル４及び第２ノズル６の先端は、それぞれ先端が漸次小径に形成され、極微細な噴口４ａ，６ａを有するものであり、互いに対向及び近接して配置されている。上記噴霧装置１の第１容器２には、精製水７が収容されると共に、第２容器５には、銀成分を含有した抗菌防カビ消臭用溶液８が収容される。そして、第１容器２中の精製水７を第１ノズル４を通じて気化手段３により水蒸気に気化し、該水蒸気を噴口４ａから噴射すると共に、第２容器５に収容する抗菌防カビ消臭用溶液８を第２ノズルの噴口６ａから噴射して水蒸気流と接触することにより水蒸気中に抗菌防カビ消臭用溶液８を霧化し、抗菌防カビ消臭用溶液を２〜５μｍの噴霧粒子の状態で噴霧することができるものである。
【００１９】
上記第２容器５に充填される抗菌防カビ消臭用溶液８には、金属銀、銀イオン及び銀化合物の群から選ばれる銀成分が配合され、必要に応じて、植物抽出物、各種添加剤、安定剤等を配合することができる。また、上記抗菌防カビ消臭用溶液８には、精製水が充填されるものであり、該精製水の含有量は全質量に対して９０質量％以上にすることが好ましい。
【００２０】
上記気化手段３としては、特に制限はないが、通常は、セラミックヒーター及びサーミスターを配設したものを例示することができ、サーミスターにより一定の温度を維持しながらセラミックヒーターから供される熱により第１溶液７を気化させることができる。
なお、図１に示していないが、第１容器２及び第２容器５中の第１溶液７及び抗菌防カビ消臭用溶液８は、電磁ポンプにより第１ノズル４及び第２ノズル６へと送り込まれるようになっており、その移送量は自動制御されている。
【００２１】
第１ノズル４及び第２ノズル６の先端口は、上述したように、微細な噴口４ａ，６ａを有するものであり、微細な噴口４ａ，６ａの口径は互いに所定角度で対向しており、噴口４ａから噴霧される水蒸気雰囲気の中で、噴口６ａから噴射される抗菌防カビ消臭用溶液８を霧化することにより、噴霧粒子の大きさ（平均粒子径）が２〜５μｍである抗菌・防カビ・消臭剤を噴霧することができる。なお、噴口の大きさは噴射圧力によって適宜選定されることとなるが、１５〜３０気圧、７０〜９０℃の条件で噴口の大きさが０．３〜０．６ｍｍ、特に０．４〜０．５ｍｍとすることが好ましい。
【００２２】
上記噴霧装置１による噴霧量としては、３〜８ｍｌ／分、特に、４〜６ｍｌ／分とすることが好ましく、単位分当たりの噴射量を可及的に小さくすることにより、消費電力を小さくし、コストを安価にすることができるものである。
【００２３】
本発明の噴霧方法及び噴霧装置は、抗菌・消臭・防カビを目的とする対象空間内に使用されるものであり、車内、工場内、美容室、娯楽施設、温泉・宿泊施設等や介護福祉施設、病院などの各種施設に用いられるものであり、病原菌やウイルスなどの院内感染対策や悪臭、加齢臭に対して抗菌消臭効果又は防カビの即効性、持続性に優れたものである。
【００２４】
［実施例１及び比較例１，２］
以下、実施例及び比較例を示し、本発明を具体的に説明するが、本発明は下記実施例に制限されるものではない。
【００２５】
一次粒子が所定ナノメートルサイズの酸化チタン粒子の表面に多数の金属銀粒子を担持させたものを抗菌溶液の有効成分とし、該抗菌溶液を所定の噴霧粒子径にて噴霧した。各噴霧粒子径については、実施例では３μｍ、比較例１，２では２０μｍの大きさとした。５ｃｍ×５ｃｍ角のステンレス製のプレートに対して各例の噴霧をそれぞれ行い、噴霧後に生じた噴霧コートの膜厚及び抗菌性能を調べた。
予め栄養培地にて３７℃で４８時間培養した大腸菌を、菌数が約１．０×１０5個に調製したものを試験菌種とする。各例の噴霧を行った上記プレートをシャーレ内に置き、その上に栄養培地に均一分散させた試験菌種を接種し、フィルムを被せ蓋をして３７℃，湿度９０％以上で３時間、１２時間、２４時間培養した後の生菌数を測定した。実施例１の噴霧方法は図１に示した噴霧装置を使用したものであり、噴霧条件は、２０気圧、８０℃、口径０．４ｍｍであった。比較例１及び比較例２については汎用スプレーガンを使用した。結果を表１に示す。
【００２６】
【表１】
2005272307.tif 000003
【００２７】
表１の結果から、噴霧粒子径が３μｍとして噴霧した実施例１の方法では、比較例１及び比較例２の噴霧方法に比べて抗菌効果の即効性に優れていることが分かる。
【図面の簡単な説明】
【００２８】
【図１】本発明の一実施例を示した抗菌消臭剤の噴霧装置の概略説明図である。
【符号の説明】
【００２９】
１    噴霧装置
２    第１容器
３    気化手段
４    第１ノズル
５    第２容器
６    第２ノズル
７    精製水
８    抗菌防カビ消臭用溶液
４ａ  噴口
６ａ  噴口
【図１】
2005272307.tif 000004